(57)【特許請求の範囲】
【請求項１】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させ、各々の筆記体及び操作体を交換可能に構成した多芯筆記具であって、
少なくとも操作体を、窓孔を介して、軸筒内から取り外し可能且つ軸筒内に挿入可能に構成し、
操作体の両側壁に、窓孔の両側壁内面と摺動可能に抜け止め係止される係止突起を設け、前記操作体の係止突起の相互間の幅寸法を、前記窓孔の両側壁間の幅寸法よりも小さく一時的に変化可能に構成し、
操作体が、軸筒内に収容時に窓孔から径方向外方に突出する操作部を備え、前記操作部の側壁よりも径方向内方の両側壁に係止突起を設け、前記操作部の両側壁を挟持により幅方向に弾性変形可能に構成し、前記操作部の両側壁を挟持した際、前記操作体の係止突起の相互間の幅寸法を、前記窓孔の両側壁間の幅寸法よりも小さく一時的に変化可能に構成したことを特徴とする多芯筆記具。
【請求項２】
操作体の操作部に径方向に貫通する孔を設けた請求項１記載の多芯筆記具。
【請求項３】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させ、各々の筆記体及び操作体を交換可能に構成した多芯筆記具であって、
少なくとも操作体を、窓孔を介して、軸筒内から取り外し可能且つ軸筒内に挿入可能に構成し、
操作体の両側壁に、窓孔の両側壁内面と摺動可能に抜け止め係止される係止突起を設け、窓孔に前記係止突起が挿入可能な幅広部を設け、操作体を、窓孔を介して軸筒内に挿入する際、前記幅広部を軸方向に一時的に大きく変形可能に構成したことを特徴とする多芯筆記具。
【発明の詳細な説明】
【技術分野】
【０００１】
本発明は、多芯筆記具に関する。詳細には、軸筒内に複数の筆記体を収容し、筆記体及びそれに対応した操作体を交換可能に構成した多芯筆記具に関する。
【背景技術】
【０００２】
従来この種の多芯筆記具において、特許文献１には、軸筒の後端に、窓孔を後方に開口させる開閉自在の開口部を設け、前記開口部を介して筆記体と操作体とを、連結状態で、軸筒内から取り外し可能且つ軸筒内に挿入可能に構成したことが開示されている。また、特許文献１には、開口部を開閉自在とする蓋部を設け、蓋部の前面に没入状態の筆記体が当接可能な当接壁部を形成したことが開示されている。
【特許文献１】特開２００７−３８６３５号公報
【発明の開示】
【発明が解決しようとする課題】
【０００３】
前記従来の多芯筆記具は、ユーザーが好みの筆記体及び操作体を自由に交換できるとしても、蓋部により、軸筒全体の部品点数が増加するとともに、蓋部を取り付けるための組立工程が増加し、製造コストの上昇を余儀なくされ、ユーザーに安価に提供することが困難となっている。
【０００４】
本発明は、前記従来の問題点を解決するものであって、ユーザーが好みの筆記体とそれに対応した操作体を軸筒内に交換可能に収容できるとともに、部品点数の増加を抑え、ユーザーに安価に提供できる多芯筆記具を得ようとするものである。尚、本発明において、「前」とはペン先側を指し、「後」とは反対側を指し、「幅方向」とは、操作体において、操作体の係止突起の相互間を挟持する方向を指し、窓孔において、反長手方向を指す。
【課題を解決するための手段】
【０００５】
［１］本願の第１の発明は、軸筒２内に複数の筆記体６を前後方向に移動可能に収容し、前記各々の筆記体６を弾発体８により後方に付勢し、前記各々の筆記体６の後端に、各々の筆記体６に対応した操作体７を連結し、軸筒２の側壁に前後方向に延びる複数の窓孔５を径方向に貫設し、前記各々の窓孔５から径方向外方に前記各々の操作体７を突出させ、一つの操作体７を窓孔５に沿って前方にスライドさせることにより、その一つの操作体７に連結された筆記体６のペン先を軸筒２の前端孔３１から突出させるとともに、先に突出状態にあった他の筆記体６のペン先を軸筒２内に没入させ、各々の筆記体６及び操作体７を交換可能に構成した多芯筆記具であって、少なくとも操作体７を、窓孔５を介して、軸筒２内から取り外し可能且つ軸筒２内に挿入可能に構成したことを要件とする。（図１乃至図２４参照）
【０００６】
前記第１の発明の多芯筆記具１は、少なくとも操作体７を、窓孔５を介して、軸筒２内から取り外し可能且つ軸筒２内に挿入可能に構成したことにより、ユーザーが好みの筆記体６とそれに対応した操作体７を軸筒２内に交換可能に収容できるとともに、部品点数の増加を抑え、ユーザーに安価に提供できる
尚、本発明で、操作体７とは、筆記体６と連結され且つ窓孔５から一部が径方向外方に突出される部材である。また、本発明で、操作体７の交換とは、操作体７の一部を交換することではなく、操作体７全体を交換することをいう。尚、前記第１の発明において、筆記体６と操作体７との連結状態を解除し、筆記体６のみを、軸筒２の前端開口部（後軸の前端開口部）を介して交換する構成でもよい。
【０００７】
［２］本願の第２の発明は、前記第１の発明において、窓孔５の両側壁間の幅寸法Ｓを、筆記体６の最大外径よりも大きく設定し、窓孔５を介して、操作体７及び筆記体６を、連結状態で、軸筒２内から取り外し可能且つ軸筒２内に挿入可能に構成したことを要件とする。（図１乃至図２４参照）
【０００８】
前記第２の発明の多芯筆記具１は、窓孔５の両側壁間の幅寸法Ｓを、筆記体６の最大外径よりも大きく設定したことにより、窓孔５を介した、筆記体６の軸筒２内からの取り外し及び筆記体６の軸筒２内への挿入が、円滑となる。また、前記第２の発明の多芯筆記具１は、窓孔５を介して、操作体７及び筆記体６を、連結状態で、軸筒２内から取り外し可能且つ軸筒２内に挿入可能に構成したことにより、筆記体６及び操作体７の交換が、より一層、単純になり、いかなるユーザーでもその交換作業を迅速且つ確実に行うことができる。
【０００９】
［３］本願の第３の発明は、前記第１または第２の発明において、操作体７の両側壁に、窓孔５の両側壁内面と摺動可能に抜け止め係止される係止突起７６を設け、前記操作体７の係止突起７６の相互間の幅寸法Ｔを、前記窓孔５の両側壁間の幅寸法Ｓよりも小さく一時的に変化可能に構成したことを要件とする。（図１乃至図８参照）
【００１０】
前記第３の発明の多芯筆記具１は、操作体７の係止突起７６の相互間の幅寸法Ｔを、前記窓孔５の両側壁間の幅寸法Ｓよりも小さく一時的に変化可能に構成したことにより、操作体７を軸筒２内から取り外す際、及び操作体７を軸筒２内に挿入する際に、操作体７の係止突起７６の相互間の幅寸法Ｔを前記窓孔５の両側壁間の幅寸法Ｓよりも一時的に小さく変形させ、窓孔５を介して、容易に、操作体７を、軸筒２内から取り外し可能且つ軸筒２内に挿入可能に構成できる。
【００１１】
［４］本願の第４の発明は、前記第３の発明において、操作体７が、軸筒２内に収容時に窓孔５から径方向外方に突出する操作部７１を備え、前記操作部７１の側壁よりも径方向内方の両側壁に係止突起７６を設け、前記操作部７１の両側壁を挟持により幅方向に弾性変形可能に構成し、前記操作部７１の両側壁を挟持した際、前記操作体７の係止突起７６の相互間の幅寸法Ｔを、前記窓孔５の両側壁間の幅寸法Ｓよりも小さく一時的に変化可能に構成したことを要件とする。（図１乃至図８参照）
【００１２】
前記第４の発明の多芯筆記具１は、操作部７１の両側壁を挟持した際、係止突起７６の相互間が幅方向に弾性変形され、操作体７を軸筒２内から取り外す際、及び軸筒２内に挿入する際に、操作体７の係止突起７６の相互間の幅寸法Ｔを窓孔５の両側壁間の幅寸法Ｓよりも一時的に小さく変形させることができ、窓孔５を介して、容易に、操作体７を、軸筒２内から取り外し可能且つ軸筒２内に挿入可能に構成できる。
【００１３】
［５］本願の第５の発明は、前記第４の発明において、操作体７の操作部７１に径方向に貫通する孔７７を設けたことを要件とする。（図１乃至図８参照）
【００１４】
前記第５の発明の多芯筆記具１は、操作体７の操作部７１に径方向に貫通する孔７７を設けたことにより、操作部７１の側壁及び係止突起７６を備える側壁が、肉薄となり、幅方向に弾性変形可能に構成される。それにより、操作部７１の両側壁を挟持した際、係止突起７６の相互間を幅方向に弾性変形可能な構成を、容易に得ることができる。
【００１５】
［６］本願の第６の発明は、前記第１または第２の発明において、操作体７の両側壁内面に、窓孔５の両側壁と摺動可能に抜け止め係止される係止突起７６を設け、窓孔５に前記係止突起７６が挿入可能な幅広部５２を設け、操作体７を、窓孔５を介して軸筒２内に挿入する際、前記幅広部５２を軸方向に一時的に大きく変形可能に構成したことを要件とする。（図９乃至図１８参照）
【００１６】
前記第６の発明の多芯筆記具１は、操作体７を、窓孔５を介して軸筒内に挿入する際、幅広部５２を軸方向に一時的に大きく変形可能に構成したことにより、操作体７を軸筒２内から取り外す際、及び操作体７を軸筒２内に挿入する際に、幅広部５２の軸方向の長さＬを一時的に大きく変形させ、窓孔５を介して、容易に、操作体７を、軸筒２内から取り外し可能且つ軸筒２内に挿入可能に構成できる。
【００１７】
［７］本願の第７の発明は、前記第１または第２の発明において、操作体７の両側壁内面に、窓孔５の両側壁と摺動可能に抜け止め係止される係止突起７６を設け、前記操作体７を、窓孔５を介して軸筒内に挿入する際、窓孔５の両側壁を幅方向に一時的に大きく変形可能に構成したことを要件とする。（図１９乃至図２４参照）
【００１８】
前記第７の発明の多芯筆記具１は、操作体７を、窓孔５を介して軸筒内に挿入する際、窓孔５の両側壁を幅方向に一時的に大きく変形可能に構成したことにより、操作体７を軸筒２内から取り外す際、及び操作体７を軸筒２内に挿入する際に、前記窓孔５の両側壁間の幅寸法を一時的に大きく変形させ、窓孔５を介して、容易に、操作体７を、軸筒２内から取り外し可能且つ軸筒２内に挿入可能に構成できる。
【００１９】
尚、本発明で、筆記体６に対応した操作体７とは、筆記体６に対応した識別表示を有する操作体７であることが好ましい。前記識別表示は、例えば、インキ色表示、ペン先サイズの表示、筆跡幅の表示、ペン先種類の表示等が挙げられる。
【００２０】
本発明の多芯筆記具において、前記各々の操作体７を、連結される筆記体６の内部に収容されたインキの色に着色されることが好ましい。それにより、各々の操作体７が内部に収容されたインキの色と同じ色または略同じ色に着色され、ペン先突出操作する筆記体６のインキ色を、軸筒２の窓孔５から露出する操作部７１により、容易に識別することができる。また、前記着色された操作体７が連結された状態の筆記体６が、軸筒２内に収容する前の状態(即ち軸筒２の外部にある状態)の場合、筆記体６のインキ色を、操作体７を視認することによって、比較的遠くからでも容易に識別できる。
【００２１】
また、本発明で、筆記体６とは、例えば、ボールペン、マーキングペン、シャープペンシル等が挙げられる。尚、本発明で、軸筒２は、筆記体６のペン先が突出可能な前端孔３１を備えた前軸３と、側壁に窓孔５を備える後軸４とからなる構成でもよい。また、前記前軸３に対して前記後軸４が前後方向に移動可能に構成し、筆記体６としてシャープペンシルを採用し、前記後軸４の前進により鉛芯の繰り出しを可能にできる。また、本発明で、軸筒２内に収容する筆記体６の本数は、２本以上であればよく、具体的には、２本、３本、４本、５本、６本等が挙げられる。
【発明の効果】
【００２２】
本発明の多芯筆記具によれば、ユーザーが好みの筆記体とそれに対応した操作体を軸筒内に交換可能に収容できるとともに、部品点数の増加を抑え、ユーザーに安価に提供できる。
【発明を実施するための最良の形態】
【００２３】
＜第１の実施の形態＞
図１乃至図８に本発明の第１の実施の形態を示す。
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００２４】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先が突出可能な前端孔３１が軸方向に貫設される。前記前軸３及び後軸４は、合成樹脂（例えば、ポリカーボネイト等）の射出成形により得られる。
【００２５】
前記後軸４の後部の側壁には、複数本（具体的には２本）の前後方向に延びる細長状の窓孔５が、径方向に貫設される。前記２本の窓孔５は、互いに、軸線に対して対称の位置に形成される。
【００２６】
また、前記後軸４の窓孔５の相互間の側壁内面には、前後方向に延びるリブよりなる係止壁部が形成され、前記係止壁部に、ペン先が突出した際の筆記体６の操作体７の後端が係止される。
【００２７】
（筆記体）
前記各々の筆記体６は、ボールペンレフィルであり、前端にボールが回転可能に抱持されたボールペンチップ（即ちペン先）と、該ボールペンチップを前端に備え且つ後端が開口されたインキ収容管６１とからなる。前記インキ収容管６１の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６１内のインキの後端には、インキの消費に伴い前進する高粘度流体からなる追従体が充填される。
【００２８】
また、前記ボールペンチップは、前端に回転可能に抱持されたボールを弾発体等により前方に付勢し、前端縁部の内面にボールを密接させる構成でもよい。また、ボールペンチップは、インキ収容管６１の前端開口部に圧入等により直接、取り付けてもよいが、本実施の形態ではペン先ホルダーを介してインキ収容管６１の前端開口部に固着される。
【００２９】
筆記体６の最大外径（例えば、ペン先の外径、ペン先ホルダーの外径、インキ収容管６１の外径の最大値）は、窓孔５の両側壁間の幅寸法より小さく設定される。それにより、窓孔５を介して、筆記体６を軸筒２外部に取り出し可能且つ筆記体６を軸筒２内に挿入可能となる。
【００３０】
（操作体）
前記各々の筆記体６の後端（即ちインキ収容管６１の後端開口部）には、操作体７が取り付けられる。前記各々の操作体７は、後端部に形成され且つ軸筒２の窓孔５から外部に突出する操作部７１と、該操作部７１の反対側の後端に設けられる後側突出部７３と、該操作部７１の反対側の後側突出部７３の前方に設けられる前側突出部７２と、前端部に形成され且つインキ収容管６１の後端開口部に嵌入される嵌入部７４と、該嵌入部７４の後方に形成される鍔部７５とを備える。前記嵌入部７４は、インキ収容管６１の後端開口部に嵌入された際、インキ収容管６１の後端開口部を完全には塞がず、インキ収容管６１の内部と外部とを通気可能にする。また、前記鍔部７５の前面には、弾発体８の後端が係止される。また、前記操作体７の両方の側面には係止突起７６が形成される。前記係止突起７６は窓孔５の両方の側壁内面と摺動可能に係合される。
【００３１】
前記操作体７は、合成樹脂（例えば、ポリプロピレン樹脂、ＡＢＳ樹脂、ポリアセタール樹脂等）の成形体により得られる。前記操作部７１には、径方向に貫通する孔７７が設けられる。それにより、操作部７１の側壁及び係止突起７６を備える側壁が、肉薄となり、幅方向に弾性変形可能に構成される。
【００３２】
筆記体６のペン先が没入状態のとき、その筆記体６に取り付けられた操作体７の後端部は、窓孔５後端（軸筒２の後端内壁）に形成された当接壁部４１に衝止される。一方、筆記体６のペン先が突出状態のとき、その筆記体６に取り付けられた操作体７の後端部は、軸筒２の内壁に形成された係止壁部に係止される。
【００３３】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、それにより、他の筆記体６のペン先突出状態が解除される。
【００３４】
（識別表示）
前記各々の操作体７は、連結される筆記体６の内部（即ちインキ収容管６１内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００３５】
また、各々の筆記体６がペン先のボールのサイズが互いに異なるボールペンの場合、ペン先のボールの外径寸法を表す数字よりなる識別表示を、操作体７の操作部７１に設けることが好ましい。また、各々の筆記体６がペン先の形状が互いに異なる筆記具の場合、ペン先の形状に対応した識別表示を、操作体７の操作部７１に設けることが好ましい。また、前記ペン先のボールの外径寸法を表す数字からなる識別表示、及びペン先の形状に対応した識別表示は、前記インキ色に着色された操作体７の操作部７１に設けることもできる。前記識別表示は、印刷、シール貼付、凸設、凹設等の手段により、操作体７に設けられる。
【００３６】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００３７】
また、弾発体支持部９の後面の各々の内孔の周囲には、後方に突出する筒状突出部よりなる保持部が形成される。前記各々の保持部の内面は、各々の弾発体８の前端部外面が圧入保持される。それにより、各々の筆記体６及び操作体７を交換する際、軸筒２内から開口部を通して各々の弾発体８が脱落することを防止できる。
【００３８】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００３９】
（ペン先の出没）
本実施の形態におけるペン先の出没作動について説明する。
一つの操作体７の操作部７１を弾発体８の後方付勢に抗して窓孔５に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部と操作体７との係止状態が解除され、他の筆記体６が弾発体８の後方付勢により後方に移動され、他の筆記体６のペン先が軸筒２内に没入され、他の筆記体６の操作部７１の後端が窓孔５の後端の当接壁部４１に当接衝止される。前記他の筆記体６のペン先の没入と同時に、前記前方にスライド操作した操作体７に連結された筆記体６のペン先が、軸筒２の前端孔３１より外部に突出されるとともに、前方にスライド操作された操作体７の後端が軸筒２内壁の係止壁部に係止され、そのペン先突出状態が維持される。
【００４０】
（筆記体及び操作体の交換）
本実施の形態における筆記体６及び操作体７の交換について説明する。
筆記体６を交換する際、窓孔５から突出する操作体７の操作部７１の側壁を幅方向に指で挟持することにより、係止突起７６の相互間の幅寸法Ｔが窓孔５の幅寸法Ｓより一時的に小さく弾性変形される。それにより、窓孔５の両側壁と係止突起７６との係合状態が解除され、窓孔５から操作体７全体を取り出すことができる。一つの操作体７を取り出すことにより、その操作体７と互いに連結状態にある筆記体６を、前記窓孔５を介して軸筒２内から取り出すことができる。
【００４１】
その後、新たな筆記体６と互いに連結状態にある新たな操作体７の操作部７１を挟持し、新たな筆記体６を窓孔５から軸筒２内に挿入し、新たな操作体７の操作部７１の側壁を幅方向に指で挟持することにより、係止突起７６の相互間の幅寸法Ｔが窓孔５の幅寸法Ｓより一時的に小さく弾性変形される。その状態で、窓孔５から操作体７全体を軸筒２内に挿入でき、その後、操作部７１の挟持を解除することにより、係止突起７６の相互間の幅寸法Ｔが窓孔５の両側壁間の幅寸法Ｓよりも大きく弾性変形により復元され、係止突起７６が窓孔５の両側壁内面に対して前後に摺動可能な係合状態となり、筆記体６及び操作体７の交換作業が終了する。
【００４２】
＜第２の実施の形態＞
図９乃至図１８に本発明の第２の実施の形態を示す。
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００４３】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先が突出可能な前端孔３１が軸方向に貫設される。前記前軸３及び後軸４は、合成樹脂（例えば、ポリカーボネイト等）の射出成形により得られる。
【００４４】
前記後軸４の後部の側壁には、複数本（具体的には２本）の前後方向に延びる細長状の窓孔５が、径方向に貫設される。前記２本の窓孔５は、互いに、軸線に対して対称の位置に形成される。前記窓孔５は、幅狭部５１と、該幅狭部５１の幅寸法より広い幅寸法を有する幅広部５２とを備える。前記幅広部５２が、幅狭部５１の後方に連設される。前記幅広部５２の内面（幅広部５２の前面及び後面）には、抜け止め突起５３が前後に配置される。
【００４５】
本実施の形態では、前記幅広部５２が、幅狭部５１の後方に連設される構成であるが、これ以外にも、前記幅広部５２が、幅狭部５１の前方に連設される構成でもよい。また、本実施の形態では、幅広部５２の内面に、抜け止め突起５３が前後に配置される構成であるが、これ以外にも、幅広部５２または幅狭部５１の内面に、一対の抜け止め突起５３が軸線対称位置に配置される構成でもよい。
【００４６】
また、前記後軸４の窓孔５の相互間の側壁内面には、前後方向に延びるリブよりなる係止壁部５４が形成され、前記係止壁部５４に、ペン先が突出した際の筆記体６の操作体７の後端が係止される。前記係止壁部５４の前端は、幅狭部５１の内方に位置している。
【００４７】
（筆記体）
前記各々の筆記体６は、ボールペンレフィルであり、前端にボールが回転可能に抱持されたボールペンチップ（即ちペン先）と、該ボールペンチップを前端に備え且つ後端が開口されたインキ収容管６１とからなる。前記インキ収容管６１の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６１内のインキの後端には、インキの消費に伴い前進する高粘度流体からなる追従体が充填される。
【００４８】
また、前記ボールペンチップは、前端に回転可能に抱持されたボールを弾発体等により前方に付勢し、前端縁部の内面にボールを密接させる構成でもよい。また、ボールペンチップは、インキ収容管６１の前端開口部に圧入等により直接、取り付けてもよいが、本実施の形態ではペン先ホルダーを介してインキ収容管６１の前端開口部に固着される。
【００４９】
筆記体６の最大外径（例えば、ペン先の外径、ペン先ホルダーの外径、インキ収容管６１の外径の最大値）は、窓孔５の幅狭部５１の幅寸法より小さく設定される。それにより、幅狭部５１を介して、筆記体６を軸筒２外部に取り出し可能且つ筆記体６を軸筒２内に挿入可能となる。
【００５０】
（操作体）
前記各々の筆記体６の後端（即ちインキ収容管６１の後端開口部）には、操作体７が取り付けられる。前記各々の操作体７は、後端部に形成され且つ軸筒２の窓孔５から外部に突出する操作部７１と、該操作部７１の反対側に設けられる後側突出部７３と、該操作部７１の反対側の後側突出部７３の前方に設けられる前側突出部７２と、前端部に形成され且つインキ収容管６１の後端開口部に嵌入される嵌入部７４と、該嵌入部７４の後方に形成される鍔部７５とを備える。前記嵌入部７４は、インキ収容管６１の後端開口部に嵌入された際、インキ収容管６１の後端開口部を完全には塞がず、インキ収容管６１の内部と外部とを通気可能にする。また、前記鍔部７５の前面には、弾発体８の後端が係止される。また、前記操作体７の両方の側面には係止突起７６が形成される。前記係止突起７６は窓孔５の幅狭部５１の両側壁に係合可能である。前記操作体７は、合成樹脂（例えば、ポリプロピレン樹脂、ＡＢＳ樹脂、ポリアセタール樹脂等）の成形体により得られる。
【００５１】
筆記体６のペン先が没入状態のとき、その筆記体６に取り付けられた操作体７の後端部は、窓孔５後端（軸筒２の後端内壁）に形成された当接壁部４１に衝止される。一方、筆記体６のペン先が突出状態のとき、その筆記体６に取り付けられた操作体７の後端部は、軸筒２の内壁に形成された係止壁部５４に係止される。
【００５２】
前記係止突起７６の相互間の幅寸法は、幅狭部５１の幅寸法より大きく設定され且つ幅広部５２の幅寸法より小さく設定される。それにより、係止突起７６が幅狭部５１の内面に係止可能となるとともに、係止突起７６が幅広部５２内に挿入可能となる。
【００５３】
前記係止突起７６の軸方向の長さＭは、抜け止め突起５３の相互間の最小距離Ｌより僅かに大きく設定される。それにより、係止突起７６が、抜け止め突起５３の相互間を乗り越えることができる。前記係止突起７６が、抜け止め突起５３の相互間を乗り越える際、幅広部５２が軸方向に一時的に大きく弾性変形する。
【００５４】
前記操作体７の係止突起７６以外の幅寸法（肉厚寸法）は、幅狭部５１の幅寸法より小さく設定される。それにより、操作部７１が窓孔５より外部に突出状態で窓孔５に沿って前後に摺動可能となるとともに、幅狭部５１を介して、操作体７全体を軸筒２内に挿入可能且つ操作体７を軸筒２内から外部に取り出し可能となる。
【００５５】
操作部７１の外面には、凹部及び凸部よりなる滑り止め部７１ａが形成され、操作部７１を指で挟持して径方向外方に引き上げる際の滑り止めがなされる。
【００５６】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００５７】
（識別表示）
前記各々の操作体７は、連結される筆記体６の内部（即ちインキ収容管６１内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００５８】
また、各々の筆記体６がペン先のボールのサイズが互いに異なるボールペンの場合、ペン先のボールの外径寸法を表す数字よりなる識別表示を、操作体７の操作部７１に設けることが好ましい。また、各々の筆記体６がペン先の形状が互いに異なる筆記具の場合、ペン先の形状に対応した識別表示を、操作体７の操作部７１に設けることが好ましい。また、前記ペン先のボールの外径寸法を表す数字からなる識別表示、及びペン先の形状に対応した識別表示は、前記インキ色に着色された操作体７の操作部７１に設けることもできる。前記識別表示は、印刷、シール貼付、凸設、凹設等の手段により、操作体７に設けられる。
【００５９】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００６０】
また、弾発体支持部９の後面の各々の内孔の周囲には、後方に突出する筒状突出部よりなる保持部が形成される。前記各々の保持部の内面は、各々の弾発体８の前端部外面が圧入保持される。それにより、各々の筆記体６及び操作体７を交換する際、軸筒２内から開口部を通して各々の弾発体８が脱落することを防止できる。
【００６１】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００６２】
（ペン先の出没）
本実施の形態におけるペン先の出没作動について説明する。
一つの操作体７の操作部７１を弾発体８の後方付勢に抗して窓孔５（幅狭部５１）に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部５４と操作体７との係止状態が解除され、他の筆記体６が弾発体８の後方付勢により後方に移動され、他の筆記体６のペン先が軸筒２内に没入され、他の筆記体６の操作部７１の後端が窓孔５後端の当接壁部４１に当接衝止される。前記他の筆記体６のペン先の没入と同時に、前記前方にスライド操作した操作体７に連結された筆記体６のペン先が、軸筒２の前端孔３１より外部に突出されるとともに、前方にスライド操作された操作体７の後端が軸筒２内壁の係止壁部５４に係止され、そのペン先突出状態が維持される。
【００６３】
（筆記体及び操作体の交換）
本実施の形態における筆記体６及び操作体７の交換について説明する。
筆記体６を交換する際、筆記体６を軸筒２内においてペン先没入状態にし、窓孔５から突出する操作体７の操作部７１を指で挟持し、操作体７を径方向外方に引っ張り上げる。それにより、操作体７の係止突起７６が抜け止め突起５３を径方向外方に乗り越え、係止突起７６が窓孔５の幅広部５２を通して外部に取り出され、それと同時に、操作体７を、窓孔５（幅狭部５１及び幅広部５２）を介して外部に取り出すことができる。操作体７を軸筒２内から取り出すことにより、その操作体７と互いに連結状態にある筆記体６を、前記窓孔５（幅狭部５１）を介して軸筒２内から取り出すことができる。
【００６４】
その後、新たな筆記体６と互いに連結状態にある新たな操作体７の操作部７１を挟持し、窓孔５の幅狭部５１から軸筒２内に新たな筆記体６を挿入し、新たな操作体７の係止突起７６を窓孔５の幅広部５２に挿入し、操作体７を径方向内方に押し込むことにより、係止突起７６が抜け止め突起５３を径方向内方に乗り越え、操作体７が軸筒２内に適正に収容配置される。それにより、筆記体６及び操作体７の交換作業が終了する。
【００６５】
＜第３の実施の形態＞
図１９乃至図２４に本発明の第３の実施の形態を示す。
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００６６】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先が突出可能な前端孔３１が軸方向に貫設される。前記前軸３及び後軸４は、合成樹脂（例えば、ポリカーボネイト等）の射出成形により得られる。
【００６７】
前記後軸４の後部の側壁には、複数本（具体的には２本）の前後方向に延びる細長状の窓孔５が、径方向に貫設される。前記２本の窓孔５は、互いに、軸線に対して対称の位置に形成される。前記窓孔５は、幅狭部５１と、該幅狭部５１の幅寸法より広い幅寸法を有する幅広部５２とを備える。前記幅広部５２が、幅狭部５１の後方に連設される。前記幅狭部５１の後端部の内面両側には、抜け止め突起５３が配置される。
【００６８】
また、前記後軸４の窓孔５の相互間の側壁内面には、前後方向に延びるリブよりなる係止壁部５４が形成され、前記係止壁部５４に、ペン先が突出した際の筆記体６の操作体７の後端が係止される。前記係止壁部５４の前端は、幅狭部５１の内方に位置している。
【００６９】
（筆記体）
前記各々の筆記体６は、ボールペンレフィルであり、前端にボールが回転可能に抱持されたボールペンチップ（即ちペン先）と、該ボールペンチップを前端に備え且つ後端が開口されたインキ収容管６１とからなる。前記インキ収容管６１の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６１内のインキの後端には、インキの消費に伴い前進する高粘度流体からなる追従体が充填される。
【００７０】
また、前記ボールペンチップは、前端に回転可能に抱持されたボールを弾発体等により前方に付勢し、前端縁部の内面にボールを密接させる構成でもよい。また、ボールペンチップは、インキ収容管６１の前端開口部に圧入等により直接、取り付けてもよいが、本実施の形態ではペン先ホルダーを介してインキ収容管６１の前端開口部に固着される。
【００７１】
筆記体６の最大外径（例えば、ペン先の外径、ペン先ホルダーの外径、インキ収容管６１の外径の最大値）は、窓孔５の幅狭部５１の幅寸法より小さく設定される。それにより、幅狭部５１を介して、筆記体６を軸筒２外部に取り出し可能且つ筆記体６を軸筒２内に挿入可能となる。
【００７２】
（操作体）
前記各々の筆記体６の後端（即ちインキ収容管６１の後端開口部）には、操作体７が取り付けられる。前記各々の操作体７は、後端部に形成され且つ軸筒２の窓孔５から外部に突出する操作部７１と、該操作部７１の反対側に設けられる後側突出部７３と、該操作部７１の反対側の後側突出部７３の前方に設けられる前側突出部７２と、前端部に形成され且つインキ収容管６１の後端開口部に嵌入される嵌入部７４と、該嵌入部７４の後方に形成される鍔部７５とを備える。前記嵌入部７４は、インキ収容管６１の後端開口部に嵌入された際、インキ収容管６１の後端開口部を完全には塞がず、インキ収容管６１の内部と外部とを通気可能にする。また、前記鍔部７５の前面には、弾発体８の後端が係止される。また、前記操作体７の両方の側面には係止突起７６が形成される。前記係止突起７６は窓孔５の幅狭部５１の両側壁に係合可能である。前記操作体７は、合成樹脂（例えば、ポリプロピレン樹脂、ＡＢＳ樹脂、ポリアセタール樹脂等）の成形体により得られる。
【００７３】
筆記体６のペン先が没入状態のとき、その筆記体６に取り付けられた操作体７の後端部は、窓孔５後端（軸筒２の後端内壁）に形成された当接壁部４１に衝止される。一方、筆記体６のペン先が突出状態のとき、その筆記体６に取り付けられた操作体７の後端部は、軸筒２の内壁に形成された係止壁部５４に係止される。
【００７４】
前記係止突起７６の相互間の幅寸法は、幅狭部５１の幅寸法より大きく設定され且つ幅広部５２の幅寸法より小さく設定される。前記係止突起７６の前後の長さは、幅広部５２の前後の長さより小さく設定される。それにより、係止突起７６が幅狭部５１の内面に係止可能となるとともに、係止突起７６が幅広部５２内に挿入可能となる。
【００７５】
前記係止突起７６の相互間の幅寸法は、抜け止め突起５３の相互間の最小の幅寸法より僅かに大きく設定される。それにより、係止突起７６と抜け止め突起５３とが乗り越え可能となる。前記係止突起７６が抜け止め突起５３を前後方向に乗り越える際、窓孔５が幅方向に一時的に大きく弾性変形する（即ち、窓孔５の幅寸法が一時的に大きく変化する）。
【００７６】
前記操作体７の係止突起７６以外の幅寸法（肉厚寸法）は、幅狭部５１の幅寸法より小さく設定される。それにより、操作部７１が窓孔５より外部に突出状態で窓孔５に沿って前後に摺動可能となるとともに、幅狭部５１を介して、操作体７全体を軸筒２内に挿入可能且つ操作体７を軸筒２内から外部に取り出し可能となる。
【００７７】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００７８】
（識別表示）
前記各々の操作体７は、連結される筆記体６の内部（即ちインキ収容管６１内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００７９】
また、各々の筆記体６がペン先のボールのサイズが互いに異なるボールペンの場合、ペン先のボールの外径寸法を表す数字よりなる識別表示を、操作体７の操作部７１に設けることが好ましい。また、各々の筆記体６がペン先の形状が互いに異なる筆記具の場合、ペン先の形状に対応した識別表示を、操作体７の操作部７１に設けることが好ましい。また、前記ペン先のボールの外径寸法を表す数字からなる識別表示、及びペン先の形状に対応した識別表示は、前記インキ色に着色された操作体７の操作部７１に設けることもできる。前記識別表示は、印刷、シール貼付、凸設、凹設等の手段により、操作体７に設けられる。
【００８０】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００８１】
また、弾発体支持部９の後面の各々の内孔の周囲には、後方に突出する筒状突出部よりなる保持部が形成される。前記各々の保持部の内面は、各々の弾発体８の前端部外面が圧入保持される。それにより、各々の筆記体６及び操作体７を交換する際、軸筒２内から開口部を通して各々の弾発体８が脱落することを防止できる。
【００８２】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００８３】
（ペン先の出没）
本実施の形態におけるペン先の出没作動について説明する。
一つの操作体７の操作部７１を弾発体８の後方付勢に抗して窓孔５（幅狭部５１）に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部５４と操作体７との係止状態が解除され、他の筆記体６が弾発体８の後方付勢により後方に移動され、他の筆記体６のペン先が軸筒２内に没入され、他の筆記体６の操作部７１の後端が窓孔５後端の当接壁部４１に当接衝止される。前記他の筆記体６のペン先の没入と同時に、前記前方にスライド操作した操作体７に連結された筆記体６のペン先が、軸筒２の前端孔３１より外部に突出されるとともに、前方にスライド操作された操作体７の後端が軸筒２内壁の係止壁部５４に係止され、そのペン先突出状態が維持される。
【００８４】
（筆記体及び操作体の交換）
本実施の形態における筆記体６及び操作体７の交換について説明する。
筆記体６を交換する際、筆記体６を軸筒２内においてペン先没入状態にし、操作体７の操作部７１を指で摘んで径方向外方に引っ張り、操作体７の後端と当接壁部４１と当接係止状態を解除した後、窓孔５から突出する操作体７の操作部７１を指で後方に押圧する。それにより、操作体７の係止突起７６が抜け止め突起５３を後方に乗り越え、その後、係止突起７６が窓孔５の幅広部を通して外部に取り出され、それと同時に、操作体７を、窓孔５（幅狭部５１及び幅広部５２）を介して外部に取り出すことができる。操作体７を軸筒２内から取り出すことにより、その操作体７と互いに連結状態にある筆記体６を、前記窓孔５（幅狭部５１）を介して軸筒２内から取り出すことができる。
【００８５】
その後、新たな筆記体６と互いに連結状態にある新たな操作体７の操作部７１を指で挟持し、窓孔５の幅狭部５１から軸筒２内に新たな筆記体６を挿入し、新たな操作体７の係止突起７６を窓孔５の幅広部５２に挿入し、その後、操作体７の操作部７１を前方に押圧することにより、係止突起７６が抜け止め突起５３を前方に乗り越え、操作体７が軸筒２内に適正に収容配置される。それにより、筆記体６及び操作体７の交換作業が終了する。
【図面の簡単な説明】
【００８６】
【図１】本発明の多芯筆記具の実施の形態を側面図である。
【図２】図１のＡ−Ａ線拡大断面図である。
【図３】図３の縦断面図である。
【図４】図１の正面図である。
【図５】図１の操作体の正面図である。
【図６】図５のＢ−Ｂ線断面図である。
【図７】図５のＣ−Ｃ線断面図である。
【図８】図５の操作体の平面図である
【図９】本発明の多芯筆記具の第２の実施の形態の正面図である。
【図１０】図９のＥ−Ｅ線断面図である。
【図１１】図９のＦ−Ｆ線拡大断面図である。
【図１２】図９の後軸の正面図である。
【図１３】図１２のＧ−Ｇ線断面図である。
【図１４】図９の後軸の要部拡大斜視図である。
【図１５】図９の操作体の正面図である。
【図１６】図９の操作体の側面図である。
【図１７】図１６のＨ−Ｈ線断面図である。
【図１８】図９の操作体の斜視図である。
【図１９】本発明の多芯筆記具の第３の実施の形態の正面図である。
【図２０】図１９の縦断面図である。
【図２１】図１９の多芯筆記具の操作体の挿入過程または操作体の取り外し過程を示す一部切り欠き斜視図である。
【図２２】図１９の後軸の一部切り欠き斜視図である。
【図２３】図１９の後軸の正面図である。
【図２４】図１９の操作体を軸筒内に挿入する過程を示す要部正面図である。（１）は、係止突起が抜け止め突起を乗り越える前を示し、（２）は、係止突起が抜け止め突起を乗り越える瞬間を示し、（３）は、係止突起が抜け止め突起を乗り越えた後を示す。
【符号の説明】
【００８７】
１  多芯筆記具
２  軸筒
３  前軸
３１  前端孔
４  後軸
４１  当接壁部
５  窓孔
５１  幅狭部
５２  幅広部
５３  抜け止め突起
５４  係止壁部
６  筆記体
６１  インキ収容管
７  操作体
７１  操作部
７２  前側突出部
７３  後側突出部
７４  嵌入部
７５  鍔部
７６  係止突起
７７  孔
８  弾発体
９  弾発体支持部
Ｓ  窓孔の両側壁間の幅寸法
Ｔ  係止突起間の幅寸法
Ｌ  幅広部の軸方向の長さ
Ｍ  係止突起の軸方向の長さ
【図１】
0005286031.tif 000002
【図２】
0005286031.tif 000003
【図３】
0005286031.tif 000004
【図４】
0005286031.tif 000005
【図５】
0005286031.tif 000006
【図６】
0005286031.tif 000007
【図７】
0005286031.tif 000008
【図８】
0005286031.tif 000009
【図９】
0005286031.tif 000010
【図１０】
0005286031.tif 000011
【図１１】
0005286031.tif 000012
【図１２】
0005286031.tif 000013
【図１３】
0005286031.tif 000014
【図１４】
0005286031.tif 000015
【図１５】
0005286031.tif 000016
【図１６】
0005286031.tif 000017
【図１７】
0005286031.tif 000018
【図１８】
0005286031.tif 000019
【図１９】
0005286031.tif 000020
【図２０】
0005286031.tif 000021
【図２１】
0005286031.tif 000022
【図２２】
0005286031.tif 000023
【図２３】
0005286031.tif 000024
【図２４】
0005286031.tif 000025